(57)【要約】      （修正有）【課題】水気浸入を防止し、有効に防湿効果を達成し、駆動回路及び発光モジュールの運営を確保する防水照明具を提供する。【解決手段】防水照明具は、放熱モジュール１０、発光モジュール２０、照明カバー３０、ライト台４０、螺旋形ソケット５０及び防水ワッシャー６０を含む。発光モジュール及び照明カバーは、放熱モジュールの上に位置し、ライト台及び螺旋形ソケットは、放熱モジュールの下に位置する。放熱モジュールは管形本体及び管形本体外側を取り囲む複数の放熱フィン１２を備え、ライト台は絶縁本体及び駆動回路を備え、絶縁本体は管形本体内に挿入するための納置槽を設置し、管形本体との間に間隙を形成する。駆動回路は納置槽内に置き、発光モジュールと電気連接する。更に放熱モジュールは防水ワッシャーをライト台で押圧し、防水ワッシャーは、上述の間隙内に挿入する凸垣を設置する。【選択図】図１
0003184244.tif 000002
【実用新案登録請求の範囲】
【請求項１】
防水照明具において、少なくとも
管形本体及び該管形本体外側を取り囲んだ複数の放熱フィンを備え、該管形本体の最上端は放熱板を設置する放熱モジュールと、
該放熱板上に位置し、回路板及び位於該回路板上に位置する複数の発光部品を備える発光モジュールと、
該放熱モジュール上方に設置し、該発光モジュール上に相対して被せる照明カバーと、
該放熱モジュール下方に位置し、絶縁本体及び駆動回路を備え、該絶縁本体は該管形本体内の納置槽に挿入して設置し、該管形本体との間に間隙を形成し、該駆動回路は該納置槽内に納置し、該発光モジュールと電気連接を形成するライト台と、
該ライト台の絶縁本体底端に設置し、且つ該駆動回路と電気連接する螺旋形ソケットと、
該ライト台外側に嵌合し、該管形本体底端に相対し、且つ該放熱モジュールは該防水ワッシャーを該ライト台に押さえ、上述の間隙内に挿入する凸垣を設置する防水ワッシャーを含むことを特徴とする防水照明具。
【請求項２】
前記放熱板は、最上面の外縁に近い箇所に、少なくとも一環状槽を設置し、また該照明カバーは該環状槽に深く入る防水ブロックウォールを設置することを特徴とする請求項１記載の防水照明具。
【請求項３】
前記環状槽と該防水ブロックウォール間には、防水ゴムを設置することを特徴とする請求項２記載の防水照明具。
【請求項４】
前記防水ワッシャーは、錐形の外環面を備えることを特徴とする請求項１から３記載の防水照明具。
【請求項５】
前記ライト台の絶縁本体は、その中段に近い位置に外向きに突出した環状壁面を設置し、該防水ワッシャーは該環状壁面上に嵌合することを特徴とする請求項４記載の防水照明具。
【考案の詳細な説明】
【技術分野】
【０００１】
本考案は、防水照明具に関するもので、特に水気の浸入を防止して防湿効果を達成する防水照明具に係る。
【背景技術】
【０００２】
発光ダイオードは、固体の半導体部品であり、電流がダイオード内を通過して発生する二個キャリアが相互結合することを利用し、エネルギーを光形式で放出する。体積が小さく、軽量で反応が早く、環境を汚染しないという長所を備えるため、発光ダイオードは各産業界で応用されている。しかしながら、初期は輝度不足で発光効率が低いことがネックとなっていたが、その後は高効率の発光ダイオードが出るようになり、上述の輝度不足の問題も解決された。そして現在では発光ダイオードが徐々に光源市場に於いて、伝統的なタングステン電球から取って代わっている。
【０００３】
発光ダイオードは消費電力が低く、且つ部品寿命が長く、そして熱を貯める必要が無く即座に反応するという長所があるものの、一般の発光ダイオードが発した輝度は伝統的な電球もしくはライト管よりも低く、そのため、高効率の発光ダイオードを照明光源として採用している。
【考案の概要】
【考案が解決しようとする課題】
【０００４】
解決しようとする問題点として、高効率の発光ダイオードは更に高い輝度を提供するものの、継続して使用すると、温度が上昇し、発光効率に影響する点である。良好な照明と有更佳的照明及び水気浸入を防止して使用寿命を高めることが重要な課題である。
【課題を解決するための手段】
【０００５】
本考案は、少なくとも放熱モジュール、発光モジュール、照明カバー、ライト台、螺旋形ソケット及び防水ワッシャーを含む。該発光モジュール及び照明カバーは、該放熱モジュールの上に位置し、該ライト台及び螺旋形ソケットは、該放熱モジュールの下に位置する。該放熱モジュールは管形本体及び該管形本体外側を取り囲む複数の放熱フィンを備え、該ライト台は絶縁本体及び駆動回路を備え、該絶縁本体は該管形本体内に挿入するための納置槽を設置し、該管形本体との間に間隙を形成する。該駆動回路は該納置槽内に置き、該発光モジュールと電気連接する。更に該放熱モジュールは該防水ワッシャーを該ライト台で押圧し、該防水ワッシャーは、上述の間隙内に挿入する凸垣を設置することを最も主要な特徴とする。
【考案の効果】
【０００６】
本考案の防水照明具は、水気の浸入を防止して防湿効果を達成するという利点がある。
【図面の簡単な説明】
【０００７】
【図１】本考案の防水照明具の部分構造分解図である。
【図２】本考案の防水照明具の全体構造分解図である。
【図３】本考案の防水照明具の構造指示図である。
【図４】本考案の防水ワッシャーの構造拡大指示図である。
【図５】本考案の照明カバーと放熱モジュールの構造拡大指示図である。
【図６】本考案の防水照明具の使用指示図である。
【考案を実施するための形態】
【０００８】
水気の浸入を防止し、有効に防湿効果を達成する防水照明具を提供することを本考案の主な目的とする。
【０００９】
上述の問題を達成するため、本考案の防水照明具は、少なくとも放熱モジュール、発光モジュール、照明カバー、ライト台、螺旋形ソケット及び防水ワッシャーを含む。該発光モジュール及び照明カバーは、該放熱モジュール上に位置し、該ライト台及び螺旋形ソケットは該放熱モジュールの下に位置する。該放熱モジュールは管形本体及び該管形本体外側を取り囲む複数の放熱フィンを備え、該ライト台は絶縁本体及び駆動回路を備える。該絶縁本体は該管形本体内に挿入するための納置槽を設置し、該管形本体との間には間隙を形成する。該駆動回路は該納置槽内に納置し、該発光モジュールと電気連接する。
【００１０】
そのうち，該防水ワッシャーは、該ライト台外側に嵌合し、且つ該放熱モジュールは該防水ワッシャーを該ライト台で押圧する。該防水ワッシャーは上述の間隙内に挿入する凸垣を設置し、それらによって、水気浸入を防止し、防湿効果を達成し、駆動回路及び発光モジュールの運転を確保する。
【実施例】
【００１１】
本考案の特徴を、図式を示しながら実施例を挙げて説明する。
【００１２】
図１は本考案の防水照明具の部分構造分解図、及び図２は本考案の防水照明具の全体構造分解図である。本考案の防水照明具１は、少なくとも放熱モジュール１０、発光モジュール２０、照明カバー３０、ライト台４０、螺旋形ソケット５０及び防水ワッシャー６０を含む。
【００１３】
該放熱モジュール１０は、管形本体１１及び該管形本体１１外側を取り巻く複数の放熱フィン１２を備え、該管形本体１１最上端には放熱板１３を設置する。
【００１４】
該発光モジュール２０は、該放熱板１３上に設置し、回路板２１及び該回路板２１上に位置する複数の発光部品２２(発光ダイオードでもよい)を備える。
【００１５】
該照明カバー３０は、該放熱モジュール１０上方に設置し、該発光モジュール２０上に被せて相対する。図３の実施例に示すとおり、該放熱モジュール１０と該照明カバー３０間は相互に合わさる複数の組立孔１４、３１を備え、そこに固定部品７１を挿入して固定し、該放熱モジュール１０と該照明カバー３０を相互に組み立てて定位する。
【００１６】
該ライト台４０は、該放熱モジュール１０下方に位置し、絶縁本体４１及び駆動回路４２を備える。該絶縁本体４１は、該管形本体１１内に入れる納置槽４３を設置し、該管形本体１１との間には間隙４４を形成する。図３及び図４に示すとおり、該駆動回路４２は納置槽４３内に設置し、該発光モジュール２０と電気連接を形成する。
【００１７】
該螺旋形ソケット５０は該ライト台の絶縁本体４１底端に設置し、且つ該駆動回路４２と電気連接する。 
【００１８】
該防水ワッシャー６０は、該ライト台４０外側に嵌合し、該管形本体１１底端に相対する。該ライト台の絶縁本体４１の中段に近い位置には外向きに突出した環状壁面４５を設置し、該防水ワッシャー６０は該環状壁面４５上で係止し、且つ該放熱モジュール１０は該防水ワッシャー６０を該ライト台の環状壁面４５上で押圧し、該防水ワッシャー６０は上述の間隙４４内に挿入するための凸垣６１を設置する。
【００１９】
本考案の防水照明具に於いて、各発光部品２２が通電後に発生する熱源は、下方の放熱板１３から該管形本体１１へ伝わり、各放熱フィン１２から熱源を外部へ放出する。更に該駆動回路４２が作動して発生した熱源もまた、該納置槽外側の間隙４４を経て管形本体１１へ向かってもよく、各放熱フィン１２から熱源を外側へ放熱し、良好な放熱効果を達成する。更に本考案の防水ワッシャー６０の材質は例としてシリコンであり、弾性変形特性によって放熱モジュールの管形本体１１底部の開口に対して密着し防水効果を達成し、該ライト台４０内で水気浸入を防止し、防湿効果を有効に達成し、駆動回路４２及び発光モジュール２０の運転を確保する。本考案は防水ワッシャー６０の材質に対して制限はなく、その他適する弾性材であればよい。
【００２０】
その他、該放熱板１３最上面の外縁に近い箇所には、少なくとも一環状槽１３１を設置する。図３及び図５に示すとおり、該照明カバー３０には該環状槽１３１に深く入る防水ブロックウォール３２を設置し、照明カバー３０を該放熱板１３上に組み立てると、該防水ブロックウォール３２は該環状槽１３１内に掛合され、水気浸入を防止する。当然、該環状槽と該防水ブロックウォール間は更に防水ゴムを設置する。
【００２１】
更に、該防水ワッシャー６０は錐形の外環面６２を備えるため、図６に示すとおり、ダウンライト８０内に設置しやすく、該外環面６２によって該ダウンライト８０と緊密に設置する。
【００２２】
上述のとおり、本考案に於いて防水照明具を提供し、実用新案登録を申請する。本考案の技術内容及び技術的特徴は上述に示すとおりであるが、当領域に習熟した者が本考案の提示に基づき各種本考案の精神から乖離しない入替え及び修飾したものを提供するかもしれない。拠って、本考案の請求項は実施例に制限されず、本考案から乖離しない入替え及び修飾を含み、以下の請求項に属するものとする。
【符号の説明】
【００２３】
１        防水照明具
１０      放熱モジュール
１１      管形本体
１２      放熱フィン
１３      放熱板
１３１    環状槽
１４      組立孔
２０      発光モジュール
２１      回路板
２２      発光部品
３０      照明カバー
３１      組立孔
３２      防水ブロックウォール
４０      ライト台
４１      絶縁本体
４２      駆動回路
４３      納置槽
４４      間隙
４５      環状壁面
５０      螺旋形ソケット
６０      防水ワッシャー
６１      凸垣
６２      外環面
７１      固定部品
８０      ダウンライト
【図１】
0003184244.tif 000003
【図２】
0003184244.tif 000004
【図３】
0003184244.tif 000005
【図４】
0003184244.tif 000006
【図５】
0003184244.tif 000007
【図６】
0003184244.tif 000008